(57)【要約】【課題】スキャン再生により編集希望のコンテンツファイルを探し出して、該ファイルの編集を行う場合、編集終了後の処理を改善して、ユーザが次の編集希望のコンテンツファイルを能率的に探せるようにする。【解決手段】スキャン再生期間に、所望のファイルの所定の一部分が再生されると、ユーザは編集キーを押下して、該ファイルの編集モードにする。該ファイルのファイル番号ｎを記憶し、編集が終了すると、編集内容に基づき記録メディア内の該ファイルのデータが更新される。次に、該記録メディアからファイル配置に係るデータをリードして（Ｓ７８）、スキャン再生におけるファイルの再生順を決める。編集終了したファイルの編集の種類（削除、ファイル変更及びファイル結合等：Ｓ８０，Ｓ８５，Ｓ８７，Ｓ８９）に基づきｎ，ｎ＋１．ｎ＋２を計算し、計算値のファイル番号のファイルからスキャン再生を開始する（Ｓ８１，Ｓ８６，Ｓ８８，Ｓ９０）。【選択図】図６
2008243348.tif 000002
【特許請求の範囲】
【請求項１】
複数のコンテンツを順番に部分再生するスキャン再生期間においてユーザからの編集モード開始指示を検出する編集モード開始指示検出手段、
前記編集モード開始指示検出手段において編集モード開始指示を検出すると、その時点において部分再生を行っているコンテンツについての編集モードを開始する編集モード開始手段、
前記編集モード開始手段により編集モードとなった期間において編集モード終了指示を検出する編集モード終了指示検出手段、
及び
前記編集モード終了検出手段において編集モード終了指示を検出すると、編集モードを終了するとともに、該編集モードにおける編集対象のコンテンツ対してスキャン再生順番が前後所定番数内にある所定コンテンツからスキャン再生を開始するスキャン再生手段、
を備えることを特徴とするスキャン再生制御装置。
【請求項２】
前記スキャン再生手段は、前記所定コンテンツを前記編集モードにおける編集の種類に基づき決定する、
ことを特徴とする請求項１記載のスキャン再生制御装置。
【請求項３】
前記スキャン再生手段は、前記所定コンテンツを、該編集モードにおける編集対象のコンテンツよりスキャン再生順番が後であるものにすることを特徴とする請求項２記載のスキャン再生制御装置。
【請求項４】
前記スキャン再生手段は、前記所定コンテンツを、該編集モードにおける編集対象のコンテンツにすることを特徴とする請求項２記載のスキャン再生制御装置。
【請求項５】
前記スキャン再生手段は、前記所定コンテンツを、該編集モードにおける編集対象のコンテンツよりスキャン再生順番が前であるものにすることを特徴とする請求項２記載のスキャン再生制御装置。
【請求項６】
前記スキャン再生手段は、
前記所定コンテンツを再生順番が編集モードにおける編集対象のコンテンツ以前であるコンテンツにして該所定コンテンツからスキャン再生を再開した場合には、再生順番が編集対象のコンテンツ以前である各コンテンツのスキャン再生時間を、再生順番が編集対象のコンテンツより後である各コンテンツのスキャン再生時間より短くすることを特徴とする請求項４又は５記載のスキャン再生装置。
【請求項７】
各コンテンツについての編集モード終了ごとに該コンテンツについてのユーザ編集に基づき記録メディア内の該コンテンツのファイルデータを更新するファイルデータ更新手段、及び
前記記録メディアにおけるファイルデータの更新ごとに前記記録メディアにおける更新後のファイル配置に基づきスキャン再生におけるコンテンツの再生順を更新する前記スキャン再生手段、
を備えることを特徴とする請求項１から６のいずれかに記載のスキャン再生制御装置。
【請求項８】
複数のコンテンツを順番に部分再生するスキャン再生期間においてユーザからの編集モード開始指示を検出する編集モード開始指示検出ステップ、
前記編集モード開始指示検出ステップにおいて編集モード開始指示を検出すると、その時点において部分再生を行っているコンテンツについての編集モードを開始する編集モード開始ステップ、
前記編集モード開始ステップにより編集モードとなった期間において編集モード終了指示を検出する編集モード終了指示検出ステップ、
及び
前記編集モード終了検出ステップにおいて編集モード終了指示を検出すると、編集モードを終了するとともに、該編集モードにおける編集対象のコンテンツ対してスキャン再生順番が前後所定番数内にある所定コンテンツからスキャン再生を開始するスキャン再生ステップ、
を備えることを特徴とするスキャン再生制御方法。
【請求項９】
請求項１〜７のいずれかに記載のスキャン再生制御装置の各手段としてコンピュータを機能させるためのプログラム。
【発明の詳細な説明】
【技術分野】
【０００１】
本発明は、スキャン再生により編集希望のコンテンツを探索するスキャン再生制御装置、方法及びプログラムに関するものである。
【背景技術】
【０００２】
オーディオ装置には、記録メディアに記録されている複数の楽曲について、順番に各楽曲の所定の一部分、典型的にはイントロ部分を再生するスキャン再生機能を装備するものがある。このようなスキャン再生機能付きオーディオ装置では、ユーザは、スキャン再生を使って記録メディア内の楽曲を順番に再生し、再生希望の楽曲が流れると、該楽曲について、再生指示を出すことにより、その全体を聴取可能になっている。
【０００３】
ユーザは、また、記録メディア内の所定の楽曲についての編集を希望することがある。所定のスキャン再生機能付きオーディオ装置では、このような場合にも、ユーザがスキャン再生を利用することができるようにし、ユーザは、スキャン再生により編集希望の楽曲が再生されると、編集キーを操作して、該楽曲についての編集を開始するようになっている。
【０００４】
従来のオーディオ装置では、スキャン再生により所望の楽曲を探し出して、該楽曲についての編集モードに入る場合、スキャン再生は終了する。したがって、ユーザは、該楽曲についての編集中、該楽曲の再生音を聞くことができないとともに、編集終了後に、スキャン再生を再開する場合には、スキャン再生キーを再操作する必要があり、かつ編集終了した楽曲とは関係なく、スキャン再生において再生順番が１番となっている楽曲から再び、スキャン再生が行われている。
【０００５】
一方、特許文献１は、オーディオシステムにおいて、ユーザは、ＣＤの全楽曲を対象としてスキャン再生を実施して（特許文献１の図３のＳ２０→Ｓ２１→Ｓ２２→Ｓ２３→Ｓ２６→Ｓ２７→Ｓ２０→・・・）、ダビング対象楽曲を探し、該楽曲が見付かると、１曲再生キー又はレックキーを押下したり（特許文献１の図３のＳ２５及び図４のＳ４３）、又は１曲ダビングキーを押下したりして（特許文献１の図１０のＳ８５）、ダビングを行うとともに、ダビング終了後は、ダビング曲の次の楽曲からスキャン再生を再開する（特許文献１の図１のＳ３２→Ｓ２６→Ｓ２７→Ｓ２０→Ｓ２１及び図１０のＳ９７→Ｓ９８→Ｓ９９→Ｓ８６→Ｓ８７→Ｓ８０→Ｓ８１）ことを開示する。
【特許文献１】特開２００１−２４３７５３号公報
【発明の開示】
【発明が解決しようとする課題】
【０００６】
ユーザが編集を希望する楽曲がスキャン再生対象楽曲の中に複数、存在することがあり得る。従来のスキャン再生機能付きオーディオ装置では、ユーザは、再度、スキャン再生キーを操作しなければならないとともに、編集終了後のスキャン再生では、１番の楽曲から再生が開始するので、次の編集希望の楽曲がスキャン再生によって再生されるまでに、時間を要している。
【０００７】
特許文献１は、ダビング曲探索のためのスキャン再生であり、楽曲の編集とは異なるものである。楽曲の編集には、該楽曲のファイルの複写や移動のように、スキャン再生対象楽曲が含まれる記録メディアやフォルダの外への処理は除外され、同一記録メディア又は同一フォルダ内での処理に留まる。
【０００８】
本発明の目的は、ユーザが能率的に編集対象コンテンツを探し出しかつ編集をすることができるスキャン再生制御装置、方法及びプログラムを提供することである。
【課題を解決するための手段】
【０００９】
本発明によれば、ユーザがスキャン再生により編集希望のコンテンツを見付け、該コンテンツについての編集を行って、編集を終了すると、スキャン再生が自動的に再開されるようになっている。そして、そのスキャン再生では、編集を行ったコンテンツ対してスキャン再生順番が前後所定番数内にある所定コンテンツからスキャン再生が行われる。
【００１０】
本発明のスキャン再生制御装置は次の手段を備えている。
複数のコンテンツを順番に部分再生するスキャン再生期間においてユーザからの編集モード開始指示を検出する編集モード開始指示検出手段、
前記編集モード開始指示検出手段において編集モード開始指示を検出すると、その時点において部分再生を行っているコンテンツについての編集モードを開始する編集モード開始手段、
前記編集モード開始手段により編集モードとなった期間において編集モード終了指示を検出する編集モード終了指示検出手段、
及び
前記編集モード終了検出手段において編集モード終了指示を検出すると、編集モードを終了するとともに、該編集モードにおける編集対象のコンテンツ対してスキャン再生順番が前後所定番数内にある所定コンテンツからスキャン再生を開始するスキャン再生手段。
【００１１】
本発明のスキャン再生制御方法は次のステップを備えている。
複数のコンテンツを順番に部分再生するスキャン再生期間においてユーザからの編集モード開始指示を検出する編集モード開始指示検出ステップ、
前記編集モード開始指示検出ステップにおいて編集モード開始指示を検出すると、その時点において部分再生を行っているコンテンツについての編集モードを開始する編集モード開始ステップ、
前記編集モード開始ステップにより編集モードとなった期間において編集モード終了指示を検出する編集モード終了指示検出ステップ、
及び
前記編集モード終了検出ステップにおいて編集モード終了指示を検出すると、編集モードを終了するとともに、該編集モードにおける編集対象のコンテンツ対してスキャン再生順番が前後所定番数内にある所定コンテンツからスキャン再生を開始するスキャン再生ステップ。
【００１２】
本発明のプログラムは、本発明のスキャン再生制御装置の各手段としてコンピュータを機能させる。
【発明の効果】
【００１３】
本発明によれば、ユーザが編集モードを終了した後に自動再開するスキャン再生では、編集を終了したコンテンツに対してスキャン再生順番が前後所定番数内にある所定コンテンツからスキャン再生が行われることになる。結果、重複して部分再生されるコンテンツが十分に減少し、複数のコンテンツをスキャン再生により能率的に探索及び編集することができる。
【発明を実施するための最良の形態】
【００１４】
図１はシステムコンポ１０の構成図である。セレクター１１は、システムマイコン１４からの制御信号に基づきＣＤメカ部１２及びアナログ入力端子１３からのアナログ信号の一方を選択して、ＡＤＣ２１へ出力する。ＣＤメカ部１２は、それへ装填されたＣＤから読み出したデータを、デジタル信号としてＤＳＰ２２へ送るとともに、アナログ信号としてセレクター１１へ送る。ＡＤＣ２１は、セレクター１１からのアナログ信号をデジタル信号へ変換して、ＤＳＰ２２へ出力する。
【００１５】
表示部１５は、システムマイコン１４からの表示データに基づきテキスト等の情報を表示する。操作部１６は、種々のキーを装備し、ユーザ操作のあったキーに係る情報をシステムマイコン１４へ出力する。システムマイコン１４は、操作部１６及びＤＳＰ２２からの入力に基づき所定の処理を行うとともに、セレクター１１及び表示部１５へ制御信号を出力する。
【００１６】
ＤＳＰ２２は、外部ＲＡＭ２３を使用しつつ、エンコードやデコード等の種々の演算を実行する。システムコンポ１０は、メモリカード用スロット２４及びＵＳＢコントローラ２６を装備し、メモリカード２５及びＵＳＢメモリ２７が、それぞれメモリカード用スロット２４及びＵＳＢコントローラ２６へ着脱自在に装着されるようになっている。メモリカード２５は、例えば、ＳＤカードやメモリスティックである。
【００１７】
装着中のメモリカード２５及びＵＳＢメモリ２７に格納されているＭＰ３やＷＭＡ等のオーディオファイル（典型的には楽曲ファイル）は、そのデータをＤＳＰ２２により読み出されて、デコードされ、ＤＡＣ３１へ送られる。ＤＡＣ３１は、デジタルのオーディオ信号をアナログのオーディオ信号へ変換する。ＤＡＣ３１からのアナログのオーディオ信号は、アンプ部３２において増幅されてから、スピーカ３３へ送られ、スピーカ３３において対応のオーディオへ変換されて、出力される。
【００１８】
ＵＳＢコントローラ２６には、ＵＳＢメモリ２７に代えて、ＵＳＢケーブルの親側のコネクタを接続することもできる。これにより、携帯型デジタルオーディオプレーヤ等がＵＳＢケーブルを介してシステムコンポ１０へ適宜接続される。システムコンポ１０は、ハードディスクを内蔵していてもよい。メモリカード２５、ＵＳＢメモリ２７、内蔵ハードディスク及び携帯型デジタルオーディオプレーヤ内蔵のフラッシュメモリ等は、それ自体がデータを読み書き自在の記録メディアとなっているか、又は記録メディアを装備しているかしており、システムコンポ１０は、接続中、装着中、又は内蔵中の記録メディアに対して、スキャン再生及び編集を実施可能にしている。
【００１９】
図２〜図６はスキャン再生制御方法４０のフローチャート全体を区分けして示したものである。該スキャン再生制御方法４０は図１のシステムコンポ１０に適用される。システムコンポ１０においてスキャン再生対象となる記録メディアは、メモリカード２５、ＵＳＢメモリ２７又は内蔵ハードディスク装置だけでなく、システムコンポ１０へケーブル又は無線で接続される携帯型デジタルオーディオプレーヤに内蔵又は着脱自在に装着される記録メディアであってもよい。
【００２０】
記録メディアの記録容量が大きくて、記録楽曲数が膨大となっている場合には、スキャン再生対象の記録メディアに記録されている全部の楽曲をスキャン再生対象とすることなく、ユーザ指定に基づき所定範囲、例えば、所定のフォルダ内の楽曲のみ、ファイル番号が所定範囲内となっている楽曲のみとかに絞ることも可能である。また、システムコンポ１０に対するユーザ操作は、システムコンポ１０の本体に配備されている操作部１６に限定されず、リモコンを介して実施してもよいとする。
【００２１】
スキャン再生制御方法４０では、ユーザは、所望の楽曲の再生音がスピーカ３３から流れると、確定キーを押下して（図３のＳ５０の正）、該楽曲についてそのイントロ部分など各楽曲の所定の一部分の再生に続いて該楽曲を最後まで再生したり、編集キーを押下して（図３のＳ５２の正）、該楽曲について、所定の編集（楽曲のファイルについてその削除や名称変更等）を行ったりできるようになっている。スキャン再生制御方法４０では、また、ユーザが楽曲を編集している期間、その終了時まで、該楽曲について再生音をスピーカ３３から流し続けるようになっている（図４のＳ６６→Ｓ６７→Ｓ６０《又はＳ６６→Ｓ６０》→Ｓ６４→Ｓ６６）。編集対象楽曲についてのユーザの編集作業が長引いて、編集中の楽曲が最後まで再生された場合には、該楽曲の先頭に戻り、該楽曲についての再生が繰り返されるようになっている（図４のＳ６６→Ｓ６７）。本実施例におけるスキャン再生による各楽曲の再生部分は、一例としてイントロの部分の再生として説明する。
【００２２】
図２のフローチャート区分において、Ｓ４１では、ユーザがスキャン再生キーを入力（操作）したか否かを判定し、入力があると、Ｓ４２へ進む。Ｓ４２では、再生メディア（スキャン再生を行う記録メディア）があるか否かを判定し、あれば、Ｓ４３へ進み、なければ、Ｓ４１へ戻る。なお、スキャン再生の候補となる記録メディアが複数存在する場合には、今回のスキャン再生メディアをどれにするかをユーザに選択させることができる。
【００２３】
Ｓ４３では、スキャン再生の再生順番を決めるファイル配置のデータを記録メディアから読み込み、読み込みが完了しだい、Ｓ４４へ進む。スキャン再生における楽曲の再生順番はファイル番号順とされ、該ファイル番号順は例えば各ファイルのアドレス順に対応する。記録メディアにおけるフォルダがツリー構造になっている場合には、フォルダ及び楽曲ファイルはそれぞれツリー構造のノード及びリーフの位置を占めることになる。ファイルがツリー構造の複数の複数の階層に分布している場合には、ファイル番号順を各ファイルのアドレス順にすることに代えて、階層の深い方のファイルほど再生順番が早くなるようにしたり、階層の浅い方のファイルほど再生順番が早くなるようにしたりすることもできる。
【００２４】
図３のフローチャート区分において、Ｓ５０では、確定キーに対するユーザ操作が行われたか否かを判定し、判定が正であれば、Ｓ５１へ進み、否であれば、Ｓ５２へ進む。確定キーは、ユーザが、現在、イントロ部分を再生中の楽曲について、その全部の再生を希望するときに、操作するものである。Ｓ５１では、確定キー操作時に音を流している楽曲について、そのイントロ部分の再生に続いてそれ以降の再生を継続する。
【００２５】
Ｓ５２では、編集キーに対するユーザ操作が行われたか否かを判定し、判定が正であれば、Ｓ５３へ進んで、編集モードが開始され、否であれば、Ｓ５４へ進む。Ｓ５４では、現在、音をスピーカ３３から流している楽曲についての再生時間が一定時間に達したか否かを判定し、判定が正であれば、該楽曲についてのイントロ部分の再生は終了したとして、Ｓ７０（図５）へ進み、否であれば、Ｓ５０へ戻って、該楽曲についてのイントロ部分の再生を継続する。
【００２６】
図４のフローチャート区分において、Ｓ６０では、編集実行キーに対するユーザ操作が行われたか否かを判定し、判定が正であれば、Ｓ６１へ進み、否であれば、Ｓ６４へ進む。編集実行キーは、ユーザが、編集対象の楽曲に対して行った編集内容を確定する時に押下するものである。Ｓ６１では、イントロ部分の再生を行っているコンテンツのスキャン再生を停止する。
【００２７】
Ｓ６２では、Ｓ６０で編集内容の確定を行った楽曲（各楽曲は記録メディアではオーディオファイルとして記録されている。）のファイル番号（ファイルＮｏ．）を記憶する。説明の便宜上、該ファイル番号＝ｎとする。このファイル番号＝ｎは後述のＳ８１，Ｓ８６，Ｓ８８，Ｓ９０（図６）等で利用される。Ｓ６３では、確定した編集内容を記録メディアに記録する。
【００２８】
Ｓ６４では、編集キャンセルキーに対するユーザ操作が行われたか否かを判定し、判定が正であれば、Ｓ６５へ進み、否であれば、Ｓ６６へ進む。ユーザは、Ｓ５２（図３）で編集キーを押下した後、該当楽曲についての編集を破棄したり、編集無しとして、元のスキャン再生に戻りたい場合には、編集キャンセルキーを押下する。
【００２９】
Ｓ６５では、編集キャンセルキーの押下時に再生中の楽曲について、その一定時間再生、すなわちそのイントロ部分の再生が終了しているか否かを判定し、判定が正であれば、Ｓ７０（図５）へ進み、否であれば、Ｓ５０へ戻る。一定時間とは例えば５〜１５秒の範囲内である。
【００３０】
Ｓ６６では、オーディオファイル（楽曲）の最後まで再生されたか否かを判定し、判定が正であれば、Ｓ６７へ進み、否であれば、Ｓ６０へ戻る。Ｓ６７では、現在再生中のオーディオファイル（楽曲）の頭へ戻り、該ファイルについての再生を繰り返す。前述したように、該スキャン再生制御方法４０では、ユーザが、楽曲の編集中、該楽曲が再生されて、ユーザは、該楽曲を聴取しながら、該楽曲を編集することができる。また、該楽曲の再生は、イントロの部分だけでなく、楽曲の先頭から後尾まで行われる。さらに、該楽曲についてのユーザ編集が長引いて、該楽曲の最後まで再生した場合には、該楽曲の先頭へ戻って、再生が継続する。
【００３１】
図５のフローチャート区分において、Ｓ７０では、Ｓ６５（図４）でイントロ部分の再生を終了したオーディオファイルがスキャン再生順番における最終ファイルであるか否かを判定し、判定が正であれば、Ｓ７１へ進んで、スキャン再生を停止する。また、Ｓ７０の判定が否であれば、Ｓ７２へ進んで、次のオーディオファイルのスキャン再生を開始する。
【００３２】
図６のフローチャート区分において、Ｓ７８では、スキャン再生における楽曲の再生順番を決めるデータを記録メディアから読み込み（リードし）、読込みが完了したか否かをＳ７９で判定し、判定が正になりしだい、Ｓ８０へ進む。Ｓ７８，Ｓ７９により、スキャン再生における楽曲の再生順番が更新される。更新の理由は、編集には、オーディオファイルの削除（Ｓ８０）、結合（Ｓ８７）又は分割（Ｓ８９）等、スキャン再生の楽曲の総数やファイル番号変更を伴うものが含まれ、更新しないと、Ｓ８１，Ｓ８６，Ｓ８８，Ｓ９０で開始楽曲を決めるときに、開始楽曲が不適切なり、これを防止するためである。スキャン再生制御方法４０では、図４のＳ６０→・・・→Ｓ６３から理解できるように、各オーディオファイルの編集が終了するごとに、その編集内容を記録メディアに記録している。この結果、Ｓ７８で、記録メディアからスキャン再生の再生順を決めるデータを再読み込みすることにより、編集終了後のスキャン再生において、楽曲の再生開始及びその後
の再生順番が適切なものとなる。
【００３３】
Ｓ８０では、ユーザが図３のＳ５３の編集モードで行った編集の種類がファイルの削除であったか否かを判定し、判定が正であれば、Ｓ８１へ進んで、ファイル番号＝ｎのファイルに対応する楽曲からスキャン再生を開始する。ファイルの削除により該ファイルに割り当てられていたファイル番号（＝ｎ）は、該ファイルに対して次のファイルのものとなり、次の楽曲からスキャン再生が開始される。Ｓ８０の判定が否であれば、Ｓ８５へ進む。
【００３４】
Ｓ８５では、ユーザが図３のＳ５３の編集モードで行った編集の種類がファイル名の変更であったか否かを判定し、判定が正であれば、Ｓ８６へ進んで、ファイル番号＝ｎ＋１のファイルに対応する楽曲からスキャン再生を開始する。この場合、ファイル番号＝ｎ＋１のファイルは、Ｓ５３で編集したファイルに対して次のファイルとなり、次の楽曲からスキャン再生が開始される。Ｓ８５の判定が否であれば、Ｓ８７へ進む。
【００３５】
Ｓ８７では、ユーザが図３のＳ５３の編集モードで行った編集の種類がファイルの結合であったか否かを判定し、判定が正であれば、Ｓ８８へ進んで、ファイル番号＝ｎ＋１のファイルに対応する楽曲からスキャン再生を開始する。もし、Ｓ５３の編集モードでファイル番号＝ｎのファイル番号とファイル番号＝ｎ＋１のファイル番号とが結合されたならば、ファイル番号＝ｎ＋１のファイルとは、Ｓ５３で編集したファイルに対して次の次のファイルとなり、次の次の楽曲からスキャン再生が開始される。Ｓ８７の判定が否であれば、Ｓ８９へ進む。
【００３６】
Ｓ８９では、ユーザが図３のＳ５３の編集モードで行った編集の種類がファイルの分割であったか否かを判定し、判定が正であれば、Ｓ９０へ進んで、ファイル番号＝ｎ＋２のファイルに対応する楽曲からスキャン再生を開始する。分割後の２個のファイルは、それぞれ前側及び後ろ側のファイルの番号はそれぞれｎ，ｎ＋１となるので、ファイル番号＝ｎ＋２のファイルとは、Ｓ５３で編集したファイルに対して次の次のファイルとなり、こうして、結合により生じたファイルに対してその次のファイルからスキャン再生が開始される。Ｓ８９の判定が否であれば、Ｓ５０へ戻る。Ｓ８９の判定が否とは、ユーザがＳ５２（図３）で編集キーを押下し、かつＳ６０（図４）で編集実行キーを押下しているものの、編集を行わなかったことを意味する。
【００３７】
図７はスキャン再生制御方法１００のフローチャートの主要部を示している。スキャン再生制御方法１００における図７のフローチャート区分は、スキャン再生制御方法４０における図４のフローチャート区分に対応するものであり、スキャン再生制御方法１００における他のフローチャート区分は、スキャン再生制御方法４０における図４を除く図２〜図６のフローチャート区分と同一である。スキャン再生制御方法１００において、スキャン再生制御方法４０のステップと同一処理内容のステップは同一ステップ番号で指示して、説明は省略し、スキャン再生制御方法４０に対する相違点についてのみ説明する。
【００３８】
スキャン再生制御方法１００では、スキャン再生制御方法４０のＳ６６，Ｓ６７（図４）がＳ１０１，Ｓ１０２に置き換えられている。スキャン再生制御方法４０，１００では、共に、ユーザがファイルを編集中、該ファイルの楽曲の再生音がスピーカ３３より流れるようになっているが、スキャン再生制御方法４０では、該楽曲は、該楽曲の最後まで流して、最後に達したら、頭へ戻して再生を継続するのに対し、スキャン再生制御方法１００では、該楽曲のイントロ部分のみの再生を繰り返すようになっている。
【００３９】
Ｓ１０１では、現在再生中の楽曲の一定時間再生（イントロ部分の再生）が終了したか否かを判定し、判定が正であれば、Ｓ１０２へ進み、否であれば、Ｓ６０へ戻る。Ｓ１０２では、現在再生中のオーディオファイルの先頭へ戻り、該ファイルについての再生を繰り返す。
【００４０】
図８はスキャン再生制御方法１１０のフローチャートの主要部を示している。スキャン再生制御方法１１０における図８のフローチャート区分は、スキャン再生制御方法４０における図６のフローチャート区分に対応するものであり、スキャン再生制御方法１１０における他のフローチャート区分は、図２〜図５のフローチャート区分と同一である。スキャン再生制御方法１１０において、スキャン再生制御方法４０のステップと同一処理内容のステップは同一ステップ番号で指示して、説明は省略し、スキャン再生制御方法４０に対する相違点についてのみ説明する。
【００４１】
スキャン再生制御方法１１０では、スキャン再生制御方法４０のＳ８６，Ｓ８８，Ｓ９０（図６）がＳ１１１，Ｓ１１２，Ｓ１１３に置き換えられている。スキャン再生制御方法４０のＳ８６，Ｓ８８，Ｓ９０では、いずれも編集を終了した楽曲の次の楽曲からスキャン再生が開始されたのに対し、Ｓ１１１，Ｓ１１２，Ｓ１１３では、スキャン再生が、いずれもファイル番号＝ｎのファイルの楽曲、すなわち編集を終了した楽曲から開始される。
【００４２】
Ｓ１１１では、名称を変更したファイルの楽曲からスキャン再生を再開する。Ｓ１１２では、結合したファイルからスキャン再生を再開する。Ｓ１１３では、分割したファイルからスキャン再生を再開する。分割前にファイル番号＝ｎのファイルは、分割後では、前側及び後ろ側ファイル部分はそれぞれファイル番号＝ｎ、ｎ＋１となるので、Ｓ１１３では、前側ファイル部分からスキャン再生が再開される。Ｓ１１３では、スキャン再生＝ｎ＋１、すなわち後ろ側ファイルからスキャン再生を開始するようにしてもよい。
【００４３】
図９はスキャン再生制御方法１２０のフローチャートの主要部を示している。スキャン再生制御方法１２０における図９のフローチャート区分は、スキャン再生制御方法４０における図６のフローチャート区分に対応するものであり、スキャン再生制御方法１２０における他のフローチャート区分は、図２〜図５のフローチャート区分と同一である。スキャン再生制御方法１２０において、スキャン再生制御方法４０のステップと同一処理内容のステップは同一ステップ番号で指示して、説明は省略し、スキャン再生制御方法４０に対する相違点についてのみ説明する。
【００４４】
スキャン再生制御方法１２０では、スキャン再生制御方法４０のＳ８１，Ｓ８６，Ｓ８８，Ｓ９０（図６）がＳ１２１，Ｓ１２２，Ｓ１２３，Ｓ１２４に置き換えられている。スキャン再生制御方法４０のＳ８１，Ｓ８６，Ｓ８８，Ｓ９０では、いずれも編集を終了した楽曲の次の楽曲からスキャン再生を開始したのに対し、Ｓ１２２では、ファイル番号＝ｎのファイルの楽曲、すなわち編集を終了した楽曲からスキャン再生を開始し、また、Ｓ１２１，Ｓ１２３，Ｓ１２４では、スキャン再生が、ファイル番号＝ｎ−１のファイルの楽曲、すなわち編集を終了した楽曲より１つ前の楽曲からスキャン再生を開始する。
【００４５】
スキャン再生制御方法１２０では、編集モードにおけるユーザ編集の種類がファイルの削除、ファイル結合又はファイルの分割等のファイルの並びに影響を与える編集である場合には、編集対象となったコンテンツに対してその１つ前の楽曲することにより、ユーザは削除や結合、分割によって変化したコンテンツの並びを周辺のコンテンツも含めて的確に把握できる。
【００４６】
スキャン再生制御方法１２０のＳ１２２では、ファイル番号＝ｎとしているが、ファイル番号をｎ未満の所定値として、編集を終了した楽曲より２つ以上前の楽曲からスキャン再生を開始することもできる。同様に、Ｓ１２１，Ｓ１２３，Ｓ１２４では、ファイル番号＝ｎ−１としているが、ファイル番号をｎ−１未満の所定値として、編集を終了した楽曲より２つ以上前の楽曲からスキャン再生を開始することもできる。
【００４７】
図１０及び図１１は前述のスキャン再生制御方法４０，１００，１１０，１２０におけるユーザ編集の種類と編集終了後のスキャン開始コンテンツとの関係を具体的に示した説明図である。スキャン再生の順番は楽曲１→楽曲２→楽曲３→楽曲４→・・・であるものとして、図１０及び図１１の例では、ユーザは、スキャン再生期間に楽曲３が部分再生されている期間に、編集キー（図３のＳ５２）を押下したことを想定している。
【００４８】
図１０及び図１１の”ファイル削除”等の各ユーザ編集種類において、”編集モード終了指示”に後続する楽曲列が、各スキャン再生制御方法４０，１００，１１０，１２０の編集終了後のスキャン再生における楽曲順番となっている。
【００４９】
図１２は図２のＳ５４の変形例を示す。Ｓ５４の代わりにＳ５４１〜Ｓ５４３が実施される。この変形例は、スキャン再生制御方法１１０（図８），１２０（図９）に適用された場合に、効果的となる。すなわち、スキャン再生制御方法１１０，１２では、編集が終了してからのスキャン再生再開では、編集対象の楽曲から、又は編集対象の楽曲より再生順番が前となっている楽曲から再生開始されることがある（図８のＳ１１１〜Ｓ１１３及び図９のＳ１２１，Ｓ１２３，Ｓ１２４）。この場合、ユーザは、編集対象の楽曲が希望どおりに編集されているか否かを確認できるものの、再開後のスキャン再生において再び聞く楽曲が出現する。再生が２度目となる楽曲がユーザにより再び編集対象となるケースは少ないので、該楽曲については再生時間を短くして、次の楽曲へ進んだ方が合理的である。図１２のＳ５４１〜Ｓ５４３はこれに対処している。
【００５０】
Ｓ５４１では、現在再生中の楽曲が１度目か否かを判定し、判定が正であれば、Ｓ５４３へ進み、否であれば、Ｓ５４２へ進む。Ｓ５４２では、再生時間が、デフォルトの時間（例：１０秒）より小である一定時間（例：５秒）に達したか否かを判定し、判定が正であれば、Ｓ７０（図５）へ進み、判定が否であれば、Ｓ５０（図３）へ進む。Ｓ５４３では、再生時間が、デフォルトの時間に達したか否かを判定し、判定が正であれば、Ｓ７０へ進み、判定が否であれば、Ｓ５０へ進む。
【００５１】
図１３及び図１４は図１２のスキャン再生期間の楽曲再生時間を調整するステップを適用した場合のスキャン再生制御方法４０，１００，１１０，１２０における各楽曲の再生時間の変化についての説明図である。前述の図１０及び図１１並びに図１３及び図１４において、各楽曲の横幅は、スキャン再生における再生時間を示しており、前述の図１０及び図１１に対する図１３及び図１４の相違点は、スキャン再生再開後における一部楽曲の再生時間が図１０及び図１１のものよりも短くなっている点である。
【００５２】
楽曲３の編集に係る編集モードが終了してからのスキャン再生の再開では、スキャン再生制御方法１１０，１２０における編集の種類によっては、編集対象の楽曲であった楽曲３に対して、再生順番がそれ以前（それ以前には楽曲３も含む。楽曲３には、それを分割された楽曲３ａ，３ｂを含む。）の楽曲が、再び再生されることになる。図１３及び図１４において、このような２度目の再生の楽曲についての横幅は楽曲４以降の横幅のほぼ半分になっている。すなわち、スキャン再生再開後の楽曲３以前の再生時間はデフォルトの時間の半分になっている。
【００５３】
図１５はスキャン再生制御装置１３０のブロック図である。スキャン再生制御装置１３０の一例は前述のシステムコンポ１０（図１）である。スキャン再生制御装置１３０におけるコンテンツは、オーディオに限定されず、ビデオやその他の再生自在な任意のコンテンツであってよいとする。該コンテンツは典型的にはＭＰ３やＷＭＡのようなデジタルコンテンツである。スキャン再生制御装置１３０は、据置き型又は携帯型オーディオ装置の他、据置き型又は携帯型ビデオ装置、携帯電話機又はＰＤＡ等の情報処理装置であってよい。
【００５４】
スキャン再生制御装置１３０は、編集モード開始指示検出手段１３１、編集モード開始手段１３２、編集モード終了指示検出手段１３３及びスキャン再生手段１３４を備えている。編集モード開始指示検出手段１３１は、複数のコンテンツを順番に部分再生するスキャン再生期間においてユーザからの編集モード開始指示を検出する。編集モード開始手段１３２は、編集モード開始指示を検出すると、その時の部分再生中のコンテンツについての編集モードを開始する。
【００５５】
編集モード終了指示検出手段１３３は、編集モード期間において編集モード終了指示を検出する。スキャン再生手段１３４は、編集モード終了指示を検出すると、編集モードを終了するとともに、該編集モードにおける編集対象のコンテンツ対してスキャン再生順番が前後所定番数内にある所定コンテンツからスキャン再生を開始する。
【００５６】
編集モード開始指示検出手段１３１、編集モード開始手段１３２及び編集モード終了指示検出手段１３３の各機能に対応する具体的処理はそれぞれＳ５２（図３），Ｓ５３（図３）及びＳ６０（図４）である。スキャン再生手段１３４の機能に対応する具体的処理は、Ｓ８１，Ｓ８６，Ｓ８８（図６）と、Ｓ９０，Ｓ１１１，Ｓ１１２，Ｓ１１３（図８）と、Ｓ１２１，Ｓ１２２，Ｓ１２３，Ｓ１２４（図９）とである。
【００５７】
典型的には、スキャン再生期間中、編集対象のコンテンツについて連続的に再生するが、編集対象のコンテンツについて断続的に再生したり、再生を完全停止したりしてもよいとする。スキャン再生において、各コンテンツが再生される部分はイントロ部分に限定されない、中間部分、後尾部分又はサビ部分であってもよいとする。スキャン再生における再生速度は１倍速に限定されず、それより速めることもできる。コンテンツの編集とは、例えば、コンテンツのファイルについて、その削除、名称変更、結合又は分割である。
【００５８】
「該編集モードにおける編集対象のコンテンツ対してスキャン再生順番が前後所定番数内にある所定コンテンツ」における「前後所定番数内」とは、好ましくは、前後１番又は２番内であるが、それ以上の数内であってもよい。
【００５９】
スキャン再生手段１３４が、編集モード終了指示の検出後にスキャン再生を開始する所定コンテンツは、スキャン再生制御方法４０（図６），１００では、該編集モード終了指示により編集終了したコンテンツに対してスキャン再生順番がそれ１つ後のコンテンツとなっており、スキャン再生制御方法１１０（図８）では、該編集モード終了指示により編集終了したコンテンツ自体となっており、スキャン再生制御方法１２０（図９）では、該編集モード終了指示により編集終了したコンテンツに対してスキャン再生順番がそれより１つ前のコンテンツとなっている。
【００６０】
スキャン再生制御装置１３０は、ユーザが編集モードを終了しだい、スキャン再生を再開し、再開したスキャン再生では、スキャン再生順番の最初のコンテンツから開始されるのではなく、編集を終了したコンテンツにスキャン再生順番上、近くにあるコンテンツから開始されるので、ユーザは、次の編集対象のコンテンツを能率的に探すことができる。
【００６１】
好ましくは、スキャン再生手段１３４は、所定コンテンツ、すなわちスキャン再生再開時の再生開始コンテンツを、編集終了したコンテンツについての編集の種類に基づいて決定する。具体例は、図６におけるＳ８０→Ｓ８１，Ｓ８５→Ｓ８６，Ｓ８７→Ｓ８８，Ｓ８９→Ｓ９０，図８におけるＳ８０→Ｓ８１，Ｓ８５→Ｓ１１１，Ｓ８７→Ｓ１１２，Ｓ９８→Ｓ１１３、及び図９におけるＳ８０→Ｓ１２１，Ｓ８５→Ｓ１２２，Ｓ８７→Ｓ１２３，Ｓ８９→Ｓ１２４である。
【００６２】
こうしてスキャン再生手段１３４が編集の種類に基づいて決定した所定コンテンツは、編集モードにおける編集対象のコンテンツを基準コンテンツとして、スキャン再生順番が該基準コンテンツより後であったり、基準コンテンツ自体であったり、スキャン再生順番が該基準コンテンツより前であったりする（例：図１０及び図１１）。
【００６３】
好ましくは、スキャン再生手段１３４は、所定コンテンツを再生順番が編集モードにおける編集対象のコンテンツ以前であるコンテンツにして該所定コンテンツからスキャン再生を再開した場合には、再生順番が編集対象のコンテンツ以前である各コンテンツのスキャン再生時間を、再生順番が編集対象のコンテンツより後である各コンテンツのスキャン再生時間より短くする。具体例は、図１２におけるＳ５４１〜Ｓ５４２であり、図１３及び図１４では、編集モード終了後のスキャン再生の再開では、編集対象の楽曲３以前の楽曲２，３，３ａ，３ｂの再生時間はデフォルトの時間の半分であると説明した。
【００６４】
好ましくは、スキャン再生制御装置１３０はファイルデータ更新手段１３７を備える。ファイルデータ更新手段１３７は、各コンテンツについての編集モード終了ごとに該コンテンツについてのユーザ編集に基づき記録メディア１３８内の該コンテンツのファイルデータを更新する。これに対応して、スキャン再生手段１３４は、記録メディア１３８におけるファイルデータの更新ごとに記録メディア１３８における更新後のファイル配置に基づきスキャン再生におけるコンテンツの再生順を更新する。この具体例は、イントロ再生制御方法４０におけるＳ７８及びＳ７９である。
【００６５】
コンテンツの編集には、ファイルについて、分割、結合又は削除等、スキャン再生対象のコンテンツの総数や再生順番に影響を与えるものがある。ファイルデータ更新手段１３７による編集モード終了ごとの記録メディア１３８におけるファイルデータの更新及び該記録メディア１３８における更新後のファイル配置に基づくスキャン再生におけるコンテンツの再生順の更新により、このような編集にもかかわらず、コンテンツ編集終了後のスキャン再生における開始コンテンツ、及びその後の再生順番を適切に制御することができる。
【００６６】
図１６はスキャン再生制御方法１５０のフローチャートである。スキャン再生制御方法１５０はスキャン再生制御装置１３０に適用される。Ｓ１５１では、複数のコンテンツを順番に部分再生するスキャン再生期間であるか否かを判定し、判定が正であれば、Ｓ１５２へ進み、否であれば、スキャン再生制御方法１５０を終了する。Ｓ１５２では、ユーザからの編集モード開始指示を検出したか否かを判定し、判定が正になりしだい、Ｓ１５３へ進む。
【００６７】
Ｓ１５３では、その時の部分再生中のコンテンツについての編集モードを開始する。Ｓ１５４では、編集モード期間において編集モード終了指示を検出したか否かを判定し、判定が正になりしだい、Ｓ１５５へ進む。Ｓ１５５では、編集モードを終了する。Ｓ１５６では、該編集モードにおける編集対象のコンテンツ対してスキャン再生順番が前後所定番数内にある所定コンテンツからスキャン再生を開始する。
【００６８】
Ｓ１５１，Ｓ１５２の処理はスキャン再生制御装置１３０の編集モード開始指示検出手段１３１の機能に対応する。Ｓ１５３，Ｓ１５４の処理は編集モード開始手段１３２及び編集モード終了指示検出手段１３３の機能にそれぞれ対応する。Ｓ１５５，Ｓ１５６の処理はスキャン再生手段１３４の機能に対応する。したがって、スキャン再生制御装置１３０における各手段の機能について述べた具体的態様は、スキャン再生制御方法１５０においてそれらに対応する各ステップの処理についての具体的態様としても適用可能である。
【００６９】
スキャン再生制御方法１５０では、スキャン再生制御装置１３０のファイルデータ更新手段１３７の機能に対応する処理を実行するステップを追加することもできる。該追加ステップは、Ｓ１５５とＳ１５６との間に挿入される。また、これに対処して、Ｓ１５６では、記録メディア１３８におけるファイルデータの更新ごとに記録メディア１３８における更新後のファイル配置に基づきスキャン再生におけるコンテンツの再生順を更新する。
【００７０】
本発明を適用したプログラムは、コンピュータをスキャン再生制御装置１３０の各手段として機能させる。本発明を適用した別のプログラムは、スキャン再生制御方法１５０の各ステップをコンピュータに実行させる。
【００７１】
本明細書は様々な発明を開示している。それら発明には、発明の最良の形態の項で説明した各装置及び各方法だけでなく、各装置及び各方法から独立の作用、効果を奏する１つ又は複数の要素を抽出したものや、１つ又は複数の要素を自明の範囲で変更したものや、さらに、各装置間及び各方法間で１つ又は複数の要素の組合せを入れ換えたものを含む。
【図面の簡単な説明】
【００７２】
【図１】オーディオシステムコンポの構成図である。
【図２】スキャン再生制御方法の第１区分のフローチャートである。
【図３】スキャン再生制御方法の第２区分のフローチャートである。
【図４】スキャン再生制御方法の第３区分のフローチャートである。
【図５】スキャン再生制御方法の第４区分のフローチャートである。
【図６】スキャン再生制御方法の第５区分のフローチャートである。
【図７】別のスキャン再生制御方法のフローチャートの主要部を示す図である。
【図８】さらに別のスキャン再生制御方法のフローチャートの主要部を示す図である。
【００７３】
【図９】他のスキャン再生制御方法のフローチャートの主要部を示す図である。
【図１０】図２〜図９の各スキャン再生制御方法におけるユーザ編集の種類と編集終了後のスキャン開始コンテンツとの関係を具体的に示した第１区分の説明図である。
【図１１】図２〜図９の各スキャン再生制御方法におけるユーザ編集の種類と編集終了後のスキャン開始コンテンツとの関係を具体的に示した第２区分の説明図である。
【図１２】再開したスキャン再生において楽曲再生時間を調整するフローチャート部分である。
【図１３】図１２のスキャン再生期間の楽曲再生時間を調整するステップを適用した場合のスキャン再生制御方法４０，１００，１１０，１２０における各楽曲の再生時間の変化についての第１区分の説明図である。
【図１４】図１２のスキャン再生期間の楽曲再生時間を調整するステップを適用した場合の各スキャン再生制御方法における各楽曲の再生時間の変化についての第２区分の説明図である。
【図１５】スキャン再生制御装置のブロック図である。
【図１６】スキャン再生制御方法のフローチャートである。
【符号の説明】
【００７４】
１３０：スキャン再生制御装置、１３１：編集モード開始指示検出手段、１３２：編集モード開始手段、１３３：編集モード終了指示検出手段、１３４：スキャン再生手段、１３７：オファイルデータ更新手段、１３８：記録メディア、１５０：再生制御方法。
【図１】
2008243348.tif 000003
【図２】
2008243348.tif 000004
【図３】
2008243348.tif 000005
【図４】
2008243348.tif 000006
【図５】
2008243348.tif 000007
【図６】
2008243348.tif 000008
【図７】
2008243348.tif 000009
【図８】
2008243348.tif 000010
【図９】
2008243348.tif 000011
【図１０】
2008243348.tif 000012
【図１１】
2008243348.tif 000013
【図１２】
2008243348.tif 000014
【図１３】
2008243348.tif 000015
【図１４】
2008243348.tif 000016
【図１５】
2008243348.tif 000017
【図１６】
2008243348.tif 000018